(57)【要約】  キャップおよびキャップを有するパッケージが開示されている。前記キャップは、外側カバー（１）と、内側カバー（２）と、内側容器（３）と、基部（４）とを備えている。前記外側カバー（１）は、外側カバー頂部と、外側カバー頂部から突出する外側カバー本体とを有し、前記外側カバー頂部および前記外側カバー本体は内側キャビティを形成し、前記内側カバー（２）は前記外側カバーの内側キャビティ内に設けられ、前記内側カバー本体の内周上に第１雌ねじ（１０１）が設けられ、前記内側容器本体の外周に第１雄ねじ（１０２）が設けられ、前記第１雄ねじは前記第１雌ねじと合致し、前記基部（４）は、基部頂部と、基部頂部から突出する基部本体とを有し、前記基部本体の内周上に第２雌ねじ（１０３）が設けられ、前記基部頂部は内側容器の内側容器底部に接続されている。キャップは小さくて見栄えがよく、お洒落である。キャップは、キャップの機能を満たす一方で、容器でもある。キャップは、いくつかの化粧品容器のキャップとして役立つだけでなく、いくつかの化粧品の容器としても役立ち得る。【選択図】図１
2020505276.tif 000002
【特許請求の範囲】
【請求項１】
外側カバー、内側カバー、内側容器、および基部を備えたキャップであって、
前記外側カバーは、外側カバー頂部と、前記外側カバー頂部から突出する外側カバー本体とを有し、前記外側カバー頂部および前記外側カバー本体は内側キャビティを形成しており、
前記内側カバーは、内側カバー頂部と、前記内側カバー頂部から突出する内側カバー本体とを有し、前記内側カバー本体の内周に第１雌ねじが設けられ、前記外側カバーの前記内側キャビティに前記内側カバーが設けられており、
前記内側容器は、内側容器底部と、前記内側容器底部から突出する内側容器本体とを有し、前記内側容器本体の外周に第１雄ねじが設けられ、前記第１雄ねじは前記第１雌ねじと合致し、
前記基部は、基部頂部と、前記基部頂部から突出する基部本体とを含み、前記基部本体の内周に第２雌ねじが設定され、前記基部頂部は、前記内側容器の内側容器底部に接続されている
ことを特徴とするキャップ。
【請求項２】
前記キャップはさらに、前記内側容器に収容された内容物を含むことを特徴とする、請求項１に記載のキャップ。
【請求項３】
前記内側容器はさらに、ワッシャまたはパラフィルムを含むことを特徴とする、請求項１に記載のキャップ。
【請求項４】
前記外側カバーと前記内側カバーとが締結部を介して互いに接続されていることを特徴とする、請求項１に記載のキャップ。
【請求項５】
前記内側容器の前記基部頂部と前記内側容器底部とがクランプを介して互いに接続されていることを特徴とする、請求項１に記載のキャップ。
【請求項６】
請求項１〜請求項５のいずれか一項に記載のキャップと容器とを備え、前記容器の頂部に容器開口部が設けられており、前記容器開口部の外周に第２雄ねじが設けられており、前記第２の雄ねじは請求項１〜請求項５のいずれか一項に記載の前記キャップ内で前記第２雌ねじと合致している、ことを特徴とする、請求項１〜請求項５のいずれか一項に記載のキャップを有するパッケージ。
【請求項７】
前記容器はさらに、ワッシャまたはパラフィルムを含むことを特徴とする、請求項６に記載のパッケージ。
【請求項８】
固形香料を含むキャップ容器を備えているキャップ。
【請求項９】
ａ）容器開口部を有する容器に前記キャップを接続するための基部と、
ｂ）前記基部に接続された前記キャップ容器と、
ｃ）前記キャップ容器に接続されたキャップ容器カバーと、
をさらに備えている、請求項８に記載のキャップ。
【請求項１０】
前記キャップ容器カバーに接続された外側キャップカバーをさらに備えている、請求項９に記載のキャップ。
【請求項１１】
前記キャップ容器は前記基部から取り外し可能である、請求項９に記載のクロージャ。
【請求項１２】
内側容器と内側容器カバーとを備え、前記内側容器は、容器の形状をとらずに室温でその形状を保持する香料を含む、キャップ。
【請求項１３】
第２の異なる消耗品を含むボトルと組み合わせた、請求項１２に記載のキャップ。
【請求項１４】
前記第２消耗品はボディウォッシュである、組み合わされた請求項９に記載のクロージャおよび容器。
【請求項１５】
前記外側カバーが前記基部に接続されているときに前記ボトルから前記基部を取り外しても、前記香料が前記キャップの外部に露出しない、組み合わされた請求項１３に記載のキャップおよび容器。
【発明の詳細な説明】
【技術分野】
【０００１】
本発明は製品包装の分野に関し、特にキャップおよびキャップを有するパッケージに関する。容器キャップは容器を密封するために使用され、キャップはさらに内側容器および内側カバーを含み、そして内側容器は化粧品を収容し得る。
【背景技術】
【０００２】
現在の市場における化粧品パッケージは容器とキャップとを備えている。しかしながら、キャップは内容物を単に密封するという単一の機能を有する。さらに、このキャップは非常に一般的な外観をしているが、独創的なデザインや実用的価値はない。
【０００３】
多くの場合、皮膚または毛髪への使用を意図した消費者製品は香料を含む。この取合わせは多くの消費者に適しているが、消費者の中には、香料を別々に、または皮膚もしくは毛髪製品が使用される領域とは異なる身体の部分に適用したいと思う者もいることが予想される。
【０００４】
香料および他のパーソナル製品を分配するための様々な構造が特許文献に提供されている。
【０００５】
Ｂｅｒｌａｎｇｅｒの仏国特許第１４５０９２４号明細書（Ｐａｒｆｕｍｓ  Ｃａｒｏｎ）は、クリームまたは他の衛生製品または香料の入ったチューブ用のキャップを開示している。キャップはバケットとして機能することができ、２つの部分、すなわち２つの対向するキャビティを有する本体と、本体にねじ込むことができるヘッドとを備えている。本体はチューブの首にねじ込むことができる。
【０００６】
国際公開第２００９／１２３３８０号は、パフがキャップと一体的に結合されている化粧品容器用のキャップに関する。
【０００７】
ＤｅＬａｆｏｒｃａｄｅの米国特許出願公開第２００９／００２２５４１号明細書は、少なくとも１つの化粧品を塗布するための包装およびアプリケータ装置を開示している。
【０００８】
Ｂａｔｅｓの米国特許第３３３２４２９号明細書は、液体化粧品がアプリケータと堅固に結合した形態に凍結するようになっているアプリケータおよび容器を開示しており、アプリケータは容器のカバーとしても作用する。
【０００９】
Ｍａｌｌｏｃｈｅｔの国際公開第２００９／０９２８７４号（Ｃｈａｎｅｌ  Ｐａｒｆｕｍｓ  Ｂｅａｕｔｅ）は、香料を貯蔵および放出するための装置を開示している。この装置は、カラーを備えた閉じ込めクロージャ内に提供ロッド（ｐｒｅｓｅｎｔｉｎｇ  ｒｏｄ）を含む。提供ロッドは、香料が充填された多孔質部分と、握るのに適した頭部とを含む。
【００１０】
Ｔｅｌｌｅｒらの米国特許第８８８８３９１号明細書は、実質的に球形のリップクリームアプリケータ製品を開示している。リップクリーム製品はまた、Ｔｅｌｌｅｒの米国デザイン特許第６４４９３９号明細書、Ｔｅｌｌｅｒの米国特許第８４４４３３７号明細書、Ｄｕｂｉｔｓｋｙの米国デザイン特許第６２５４６９号明細書およびＤｕｂｉｔｓｋｙらの米国デザイン特許第６３１２０４号明細書にも開示されている。
【００１１】
Ｈｏｕｙｏｕｘの国際公開第２０１６／０９１８６５号（Ｒｅｌｏａｄ  Ｌａｂｓ）は香料テスタを対象にしている。
【先行技術文献】
【特許文献】
【００１２】
【特許文献１】仏国特許第１４５０９２４号明細書
【特許文献２】国際公開第２００９／１２３３８０号
【特許文献３】米国特許出願第２００９／００２２５４１号明細書
【特許文献４】米国特許第３３３２４２９号明細書
【特許文献５】国際公開第２００９／０９２８７４号
【特許文献６】米国特許第８８８８３９１号明細書
【特許文献７】米国デザイン特許第６４４９３９号明細書
【特許文献８】米国特許第８４４４３３７号明細書
【特許文献９】米国デザイン特許第６２５４６９号明細書
【特許文献１０】米国デザイン特許第６３１２０４号明細書
【特許文献１１】国際公開第２０１６／０９１８６５号
【発明の概要】
【００１３】
本発明が解決しようとする技術的課題は、従来の製品パッケージにおける容器のキャップの単一機能および一般的な外観などの欠点を克服するためのキャップおよびキャップを有するパッケージを提供することである。キャップの中に内容物が隠されているので、キャップは景品として顧客に提供される。このように、キャップはシール機能を実現するだけでなく、顧客に驚きを与えることができる。本発明は、小さくて見栄えがよく、お洒落で、持ち運びが非常に便利である。
【００１４】
本発明は、以下の技術的解決策を採用することによって上記の技術的課題を解決する。
【００１５】
本発明の１つの技術的解決策は、キャップが、外側カバー、内側カバー、内側容器、および基部を備えていることであり、
前記外側カバーは、外側カバー頂部と、外側カバー頂部から突出する外側カバー本体とを有し、前記外側カバー頂部および前記外側カバー本体は内側キャビティを形成し、
前記内側カバーは、内側カバー頂部と、内側カバー頂部から突出する内側カバー本体とを有し、前記内側カバー本体の内周に第１雌ねじが設定され、前記外側カバーの前記内側キャビティに前記内側カバーが設けられ、
前記内側容器は、内側容器底部と、内側容器底部から突出する内側容器本体とを有し、前記内側容器本体の外周には第１雄ねじが設けられ、前記第１雌ねじは前記第１雄ねじと合致し、
前記基部は、基部頂部と、基部頂部から突出する基部本体とを有し、前記基部本体の内周に第２雌ねじが設定され、前記基部頂部は、前記内側容器の内側容器底部に接続されている。
【００１６】
本発明の前記キャップは、前記内側容器に含まれる内容物をさらに含むことが好ましい。
【００１７】
前記内容物は、一般的な内容物であり、化粧品であることが好ましく、香油または固形香料であることがより好ましい。
【００１８】
本発明の前記キャップ内の前記容器は、ワッシャまたはパラフィルムをさらに含むことが好ましい。
【００１９】
前記ワッシャまたはパラフィルムは、内容物が溢れ出すことを防ぐことができる。
【００２０】
前記外側カバーと前記内側カバーとは締結部（ｆａｓｔｅｎｅｒ）を介して互いに接続されていることが好ましい。
【００２１】
前記基部頂部と内側容器の内側容器基部とはクランプを介して互いに接続されていることが好ましい。
【００２２】
前記キャップは、接続スリーブを介して前記容器の容器開口部に接続されていることが好ましい。前記接続は、前記第２雌ねじと前記第２雄ねじとの間の接続である。
【００２３】
前記キャップにおいて、前記外側カバー、内側カバー、内側容器、および基部は一般的であり、そしてプラスチック製外側カバー、プラスチック製内側カバー、およびプラスチック製基部であることが好ましい。
【００２４】
本発明の他の技術的解決策は、上記のキャップを有するパッケージであって、前記キャップと容器とを備え、前記容器の頂部に容器開口部が設けられ、容器開口部の外周に第２雄ねじが設けられ、前記第２雄ねじは前記キャップ内の前記第２雌ねじと合致する。
【００２５】
本発明における上記キャップを有するパッケージにおいて、上記容器はさらに、ワッシャまたはパラフィルムを含むことが好ましい。前記ワッシャまたはパラフィルムは、内容物が溢れ出すことを防ぐことができる。
【００２６】
上述のキャップを有する前記パッケージにおいて、前記容器は従来の容器であり、プラスチック容器またはガラス容器であることが好ましい。
【００２７】
本発明の積極的かつ漸進的な効果として、本発明は、小さくて見栄えがよく、お洒落である。キャップの機能を満たす一方で、本発明は容器でもある。本発明は、いくつかの化粧品容器のキャップとして役立つだけでなく、いくつかの化粧品の容器としても役立ち得る。小さなデザインがキャップ用に作られ、小さなものが感謝の気持ちとしてキャップに入れられるので、本発明は、顧客が本発明を使用するときに顧客に驚きをもたらすことができる。本発明は、小さくて見栄えがよく、お洒落で、持ち運びに便利である。
【００２８】
例示された構造は香料の大気への時期尚早の曝露を最小化し、それによって香料の損失を最小化する。
【００２９】
以下、図面を参照して本発明をさらに説明する。
【図面の簡単な説明】
【００３０】
【図１】本発明のキャップの閉じた状態の構造を示す。
【図２】本発明のキャップの開いた状態の構造を示す。
【図３】本発明のキャップを容器にねじ込む方法を示す。
【発明を実施するための形態】
【００３１】
以下に、図面と組み合わせて本発明をより明確かつ完全に説明するための好ましい実施形態を示す。
【００３２】
図１および図２に示すように、本発明のキャップは、外側カバー（１）、内側カバー（２）、容器（３）、および基部（４）を備えている。
【００３３】
これらのうち、前記外側カバー（１）は下方に開口しており、外側カバー頂部と、この外側カバー頂部から突出している外側カバー本体とを有している。前記外側カバー頂部および前記外側カバー本体は内側キャビティを形成する。
【００３４】
前記内側カバー（２）は下方に開放されており、内側カバー頂部と、この内側カバー頂部から突出している内側カバー本体とを有している。前記内側カバー本体の内周に第１雌ねじ（１０１）が設けられている。前記内側カバー（２）は、前記外側カバー（１）の内側キャビティ内に設けられている。前記外側カバー（１）と前記内側カバー（２）とは締結部を介して互いに接続されている。
【００３５】
内側容器（３）は上方に開放されており、内側容器底部と、内側容器底部から突出している内側容器本体とを有している。前記内側容器本体の外周に第１雄ねじ（１０２）が設けられている。前記第１雌ねじ（１０１）は第１雄ねじ（１０２）と合致する。
【００３６】
前記基部（４）は下方に開口しており、基部頂部と該基部頂部から突出する基部本体とを有している。前記基部本体の内周に第２雌ねじ（１０３）が設けられている。前記基部頂部は、内側容器（３）の内側容器底部に接続されている。前記基部頂部と内側容器（３）の内側容器基部とはクランプを介して互いに接続されている。
【００３７】
本発明のキャップはさらに内容物（６）を含み、前記内容物（６）は前記内側容器（３）に収容されている。
【００３８】
前記内容物（６）は香油または固体香料である。
【００３９】
前記キャップにおいて、前記外側カバー（１）、内側カバー（２）、内側容器（３）、および基部（４）はすべてプラスチック製である。
【００４０】
前記内側容器（３）は、ワッシャまたはパラフィルム（７）をさらに含む。上記のワッシャまたはパラフィルム（７）は、内容物（６）が溢れ出すことを防ぐことができる。
【００４１】
図３に示すように、本発明における上記キャップを有するパッケージは、上記キャップと容器（５）とを備えている。前記容器（５）の頂部に容器開口部が設けられており、容器開口部の外周に第２雄ねじ（１０４）が設けられている。前記第２雌ねじ（１０３）は前記第２雄ねじ（１０４）と合致する。
【００４２】
前記キャップは、接続スリーブを介して前記容器（５）の容器開口部に接続されている。前記接続は、前記第２雌ねじ（１０３）と前記第２雄ねじ（１０４）との間の接続である。
【００４３】
本発明における上記キャップを有するパッケージにおいて、前記容器（５）は、さらに、ワッシャまたはパラフィルム（８）を含む。上記のワッシャまたはパラフィルム（８）は、内容物（６）が溢れ出すことを防ぐことができる。
【００４４】
上記のキャップを有するパッケージにおいて、前記容器（５）はプラスチックまたはガラスでできている。
【００４５】
本発明のキャップは容器でもある。図１はキャップの閉状態を示す。図２はキャップの開状態を示す。図３は、本発明のキャップを容器（５）にねじ込む方法を示す。
【００４６】
本発明の説明において、「上」、「下」、「前」、「後」、「左」、「右」、「縦」、「水平」、「頂部」、「底部」、「中」、「内側」、および「外側」の用語によって示される方向または位置関係はすべて、図面に示されている方向または位置関係に基づいており、本発明を説明し簡略化するためにのみ使用されているが、指定された装置または要素が特定の方向を向いていなければならないこと、または特定の方向に構築および操作されていなければならないことを示すためまたは暗示するために使用されていないことを理解されたい。したがって、これらの用語が本発明を限定するために使用されると理解すべきではない。
【００４７】
本発明の説明において、特に明示的に規定および定義されていない限り、「設置」、「相互接続」、および「接続」という用語は広義に理解されるべきであることが指摘されるべきである。例えば、固定接続、取り外し可能接続、または統合接続、直接接続または中間体を介した間接接続、２つの要素間の内部接続、または２つの要素間の相互作用関係、などである。当業者は、特定の条件に従って、本発明における上記の用語の特定の意味を理解することができる。
【００４８】
本発明におけるキャップおよびキャップを有するパッケージの構造および動作は当業者には一般的であり、ここで再び説明することはしない。本発明は小さく、外観において精巧でありお洒落である。キャップの機能を満たす一方で、本発明は容器でもある。本発明は、いくつかの化粧品容器のキャップとして役立つだけでなく、いくつかの化粧品の容器としても役立ち得る。小さなデザインがキャップ用に作られ、小さなものが感謝の気持ちとしてキャップに入れられるので、本発明は、顧客が本発明を使用するときに顧客に驚きをもたらすことができる。
【００４９】
固体香料は当技術分野において公知である。
【００５０】
固形香料はパシフィカ（Ｐａｃｉｆｉｃａ）および他の会社から入手可能である。
【００５１】
クロージャの配置により、消費者はパッケージ内の消耗品にアクセスすることなく別個の消耗品にアクセスすることができる。すなわち、消費者はパッケージを開封する必要がない。
【００５２】
本明細書で「取り外し可能に」とは、示された構造が、人間が開けることを意図したボトルからキャップを外すのに必要な力など、人間が適度な力を加えることで除去できることを意味する。
【００５３】
当業者は、本発明の上述の実施形態が例示目的のためにのみ与えられており、本発明の保護範囲が添付の特許請求の範囲によって定義されることを理解するべきである。当業者は本発明の原理および本質から逸脱することなく様々な変形および修正を行うことができるが、これらの変形および修正はすべて本発明の保護範囲内にあるものとする。
【図１】
2020505276.tif 000003
【図２】
2020505276.tif 000004
【図３】
2020505276.tif 000005
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
外側カバー、内側カバー、内側容器、および基部を備えたキャップであって、
前記外側カバーは、外側カバー頂部と、前記外側カバー頂部から突出する外側カバー本体とを有し、前記外側カバー頂部および前記外側カバー本体は内側キャビティを形成しており、
前記内側カバーは、内側カバー頂部と、前記内側カバー頂部から突出する内側カバー本体とを有し、前記内側カバー本体の内周に第１雌ねじが設けられ、前記外側カバーの前記内側キャビティに前記内側カバーが設けられており、
前記内側容器は、内側容器底部と、前記内側容器底部から突出する内側容器本体とを有し、前記内側容器本体の外周に第１雄ねじが設けられ、前記第１雄ねじは前記第１雌ねじと合致し、
前記基部は、基部頂部と、前記基部頂部から突出する基部本体とを含み、前記基部本体の内周に第２雌ねじが設定され、前記基部頂部は、前記内側容器の内側容器底部に接続されている
ことを特徴とするキャップ。
【請求項２】
前記キャップはさらに、前記内側容器に収容された内容物を含むことを特徴とする、請求項１に記載のキャップ。
【請求項３】
前記内側容器はさらに、ワッシャまたはパラフィルムを含むことを特徴とする、請求項１に記載のキャップ。
【請求項４】
前記外側カバーと前記内側カバーとが締結部を介して互いに接続されていることを特徴とする、請求項１に記載のキャップ。
【請求項５】
前記内側容器の前記基部頂部と前記内側容器底部とがクランプを介して互いに接続されていることを特徴とする、請求項１に記載のキャップ。
【請求項６】
請求項１〜請求項５のいずれか一項に記載のキャップと容器とを備え、前記容器の頂部に容器開口部が設けられており、前記容器開口部の外周に第２雄ねじが設けられており、前記第２の雄ねじは請求項１〜請求項５のいずれか一項に記載の前記キャップ内で前記第２雌ねじと合致している、ことを特徴とする、請求項１〜請求項５のいずれか一項に記載のキャップを有するパッケージ。
【請求項７】
前記容器はさらに、ワッシャまたはパラフィルムを含むことを特徴とする、請求項６に記載のパッケージ。
【請求項８】
固形香料を含むキャップ容器を備えているキャップ。
【請求項９】
ａ）容器開口部を有する容器に前記キャップを接続するための基部と、
ｂ）前記基部に接続された前記キャップ容器と、
ｃ）前記キャップ容器に接続されたキャップ容器カバーと、
をさらに備えている、請求項８に記載のキャップ。
【請求項１０】
前記キャップ容器カバーに接続された外側キャップカバーをさらに備えている、請求項９に記載のキャップ。
【請求項１１】
前記キャップ容器は前記基部から取り外し可能である、請求項９に記載のクロージャ。
【請求項１２】
内側容器と内側容器カバーとを備え、前記内側容器は、容器の形状をとらずに室温でその形状を保持する香料を含む、キャップ。
【請求項１３】
第２の異なる消耗品を含むボトルと組み合わせた、請求項１２に記載のキャップ。
【請求項１４】
前記第２消耗品はボディウォッシュである、組み合わされた請求項１３に記載のクロージャおよび容器。
【請求項１５】
前記外側カバーが前記基部に接続されているときに前記ボトルから前記基部を取り外しても、前記香料が前記キャップの外部に露出しない、組み合わされた請求項１３に記載のキャップおよび容器。
【国際調査報告】
2020505276.tif 000006
2020505276.tif 000007